(57)【要約】【課題】簡単に様々なデザインを実現することができる保護帽子を提供すること。【解決手段】本発明は、頂天部３と側面部４とに分割された帽子本体２と、帽子本体２に内蔵される衝撃吸収構造体１０と、を備えた保護帽子１において、頂天部３が、衝撃吸収構造体１０の内蔵形態が異なる複数の頂天部モジュール３Ａ,３Ｂ,３Ｃを有する。側面部４が、衝撃吸収構造体１０の内蔵形態が異なる複数の側面部モジュール４Ａ,４Ｂ,４Ｃを有する。軟結合構造１２を介して複数の弾性球状体１１を平面状又は線状に集合させた衝撃吸収構造体１０が、軟結合構造１２の形態が異なる複数の衝撃吸収モジュール１０Ａ,１０Ｂ,１０Ｃを有する。そして、前記頂天部３と、前記側面部４と、前記衝撃吸収構造体１０との各モジュールを、任意に選択されて組み合わせられる構成とした。【選択図】図１
2013057138.tif 000002
【特許請求の範囲】
【請求項１】
頭頂部を覆う頂天部と、前記頂天部の周囲を取り囲んで頭側部を覆う側面部と、に分割された帽子本体と、前記帽子本体に内蔵される衝撃吸収構造体と、を備えた保護帽子において、
前記頂天部は、前記衝撃吸収構造体の内蔵形態が異なる複数の頂天部モジュールを有し、
前記側面部は、前記衝撃吸収構造体の内蔵形態が異なる複数の側面部モジュールを有し、
前記衝撃吸収構造体は、外形形状が球状であり、外部から加わる外力の大きさと方向に応じて弾性変形する複数の弾性球状体を、互いに乖離する対向球面間に貫通空隙を確保した状態で、前記外力に従って変形可能なように剛性を低く抑えた軟結合構造を介して平面状又は線状に集合させると共に、前記軟結合構造の形態が異なる複数の衝撃吸収モジュールを有し、
複数の前記頂天部モジュールと、複数の前記側面部モジュールと、複数の前記衝撃吸収モジュールとは、任意に選択されて組み合わせられることを特徴とする保護帽子。
【請求項２】
請求項１に記載された保護帽子において、
前記頂天部モジュールは、前記衝撃吸収構造体を着脱可能に収納するポケットを有する第１頂天部と、前記衝撃吸収構造体を一対の布材の間に挟んで縫い止めた第２頂天部と、を有し、
前記側面部モジュールは、前記衝撃吸収構造体を着脱可能に収納するポケットを有すると共に少なくとも前記頭部の一部を覆う第１側面部と、前記衝撃吸収構造体を一対の布材の間に挟んで縫い止めると共に少なくとも前記頭部の一部を覆う第２側面部と、を有し、
前記衝撃吸収モジュールは、前記弾性球状体の下端に、一面に設けた熱溶着層が熱溶着固定される下側布部材と、前記弾性球状体の上端に、一面に設けた熱溶着層が熱溶着固定される上側布部材と、を備えた軟結合構造を有する第１衝撃吸収モジュールと、
前記弾性球状体に中心を通って貫通する貫通孔を形成し、前記弾性球状体の前記貫通孔に挿通されると共に、隣接する弾性球状体間において、挿通方向が逆方向にされる第１紐状部材と、前記弾性球状体の前記貫通孔に挿通されると共に、挿通方向が前記第１紐状部材の挿通方向と逆方向に設定され、且つ、線状に並んだ複数の前記弾性球状体の両端部のそれぞれで前記第１紐状部材と結合される第２紐状部材と、を備えた軟結合構造を有する第２衝撃吸収モジュールと、を有することを特徴とする保護帽子。
【請求項３】
請求項１又は請求項２に記載された保護帽子において、
前記帽子本体は、前記側面部の下端部に取り付けられると共に、周方向の長さと、前記側面部からの突出長さがそれぞれ異なる複数の鍔部を有し、
前記複数の鍔部は、任意に選択されて前記側面部に取り付けられることを特徴とする保護帽子。
【発明の詳細な説明】
【技術分野】
【０００１】
本発明は、帽子本体と、軟結合構造を介して複数の弾性球状体を結合した衝撃吸収構造体とを備えた保護帽子に関するものである。
【背景技術】
【０００２】
従来、頭頂部を覆う頂天部と、この頂天部の周囲を取り囲んで頭側部を覆う側面部と、に分割された帽子本体と、帽子本体に内蔵された衝撃吸収構造体と、を備えた保護帽子が知られている（例えば、特許文献１参照）。
【先行技術文献】
【特許文献】
【０００３】
【特許文献１】特開2007-224465号公報
【発明の概要】
【発明が解決しようとする課題】
【０００４】
しかしながら、従来の保護帽子にあっては、まずデザインを設定し、このデザインに合わせて頂天部等の形状を決めている。そのため、衝撃吸収構造体も頂天部等の形状に合わせて形成する必要があった。
【０００５】
つまり、デザインに合わせて帽子本体及び衝撃吸収構造体を設計する必要があり、手間がかかってしまうという問題があった。
【０００６】
本発明は、上記問題に着目してなされたもので、簡単に様々なデザインを実現することができる保護帽子を提供することを目的とする。
【課題を解決するための手段】
【０００７】
上記目的を達成するため、本発明は、頭頂部を覆う頂天部と、前記頂天部の周囲を取り囲んで頭側部を覆う側面部と、に分割された帽子本体と、前記帽子本体に内蔵される衝撃吸収構造体と、を備えた保護帽子において、
前記頂天部は、前記衝撃吸収構造体の内蔵形態が異なる複数の頂天部モジュールを有し、
前記側面部は、前記衝撃吸収構造体の内蔵形態が異なる複数の側面部モジュールを有し、
前記衝撃吸収構造体は、外形形状が球状であり、外部から加わる外力の大きさと方向に応じて弾性変形する複数の弾性球状体を、互いに乖離する対向球面間に貫通空隙を確保した状態で、前記外力に従って変形可能なように剛性を低く抑えた軟結合構造を介して平面状又は線状に集合させると共に、前記軟結合構造の形態が異なる複数の衝撃吸収モジュールを有し、
複数の前記頂天部モジュールと、複数の前記側面部モジュールと、複数の前記衝撃吸収モジュールとは、任意に選択されて組み合わせられることを特徴としている。
【発明の効果】
【０００８】
よって、本発明の保護帽子にあっては、頂点部が複数の頂天部モジュールを有し、側面部が複数の側面部モジュールを有し、衝撃吸収構造体が複数の衝撃吸収モジュールを有しており、これらが任意に選択されて組み合わせられる。
このため、各モジュールの組み合わせ方によって異なるデザインの保護帽子となる。つまり、帽子本体及び衝撃吸収構造体を、それぞれ汎用性を持ったパーツに分割し、それぞれを任意に選択して組み合わせることで簡単に様々なデザインを実現することができる。
【図面の簡単な説明】
【０００９】
【図１】実施例１の保護帽子の一デザインを示す外観斜視図である。
【図２】実施例１の保護帽子の衝撃吸収構造体を示す斜視図であり、(a)はトップ用モジュールを示し、(b)は取り外し用モジュールを示し、(c)は編込み用モジュールを示す。
【図３】弾性球状体を示す図であり、(a)は外観を示す斜視図であり、(b)は縦断面図である。
【図４】トップ用モジュール及び取り外し用モジュールの一部を破断した斜視図である。
【図５】編込み用モジュールを示す斜視図である。
【図６】実施例１の保護帽子の頂天部を示す斜視図であり、(a)は挟み込み用頂天部を示し、(b)は取り外し用頂天部を示し、(c)は編込み用頂天部を示す。
【図７】実施例１の保護帽子の側面部を示す斜視図であり、(a)は前方側面部を示し、(b)は取り外し用後方側面部を示し、(c)は編込み用後方側面部を示す。
【図８】実施例１の保護帽子の鍔部を示す斜視図であり、(a)は小キャップタイプを示し、(b)は大キャップタイプを示し、(c)は小ハットタイプを示し、(d)は大ハットタイプを示す。
【図９】実施例１の保護帽子の他のデザインを示す外観斜視図である。
【図１０】(a)は本発明の保護帽子における側面部の他の例を示す斜視図であり、(b)は図１０(a)に示す側面部を用いた保護帽子を示す外観斜視図である。
【図１１】(a)は本発明の保護帽子における側面部のさらに他の例を示す斜視図であり、(b)は図１１(a)に示す側面部を用いた保護帽子を示す外観斜視図である。
【図１２】(a)は本発明の保護帽子における頂天部の他の例を示す斜視図であり、(b)は図１２(a)に示す頂天部を用いた保護帽子を示す外観斜視図である。
【発明を実施するための形態】
【００１０】
以下、本発明の保護帽子を実施するための形態を、図面に示す実施例１に基づいて説明する。
【実施例１】
【００１１】
まず、実施例１の保護帽子における構成を、「保護帽子の全体構成」、「衝撃吸収構造体の構成」、「弾性球状体の構成」、「第１衝撃モジュールの構成」、「第２衝撃モジュールの構成」、「頂天部の構成」、「側面部の構成」、「鍔部の構成」に分けて説明する。
【００１２】
[保護帽子の全体構成]
図１は、実施例１の保護帽子の一デザインを示す外観斜視図である。
【００１３】
図１に示す保護帽子１は、頭部に被ることで外部から加わる外力から頭部を保護するものである。この保護帽子１は、帽子本体２と、この帽子本体２に内蔵される衝撃吸収構造体１０と、を備えている。
【００１４】
前記帽子本体２は、通気性が良い布素材により形成され、頭頂部を覆う頂天部３と、頂天部３の周囲を取り囲んで頭側部を覆う側面部４と、側面部４の下端部４ａから突出した鍔部５と、有している。この頂天部３と側面部４と鍔部５とは、それぞれ個別に形成されており、縫い合わされて一体の帽子本体２を形成している。
【００１５】
そして、この頂天部３と側面部４と鍔部５及び衝撃吸収構造体１０は、それぞれ複数のデザインを有しており、これらの中から任意に選択されて組み合わされている。つまり、実施例１の保護帽子１のデザインは、図１に示すものに限らない。
【００１６】
[衝撃吸収構造体の構成]
図２は、実施例１の保護帽子の衝撃吸収構造体を示す斜視図であり、(a)はトップ用モジュールを示し、(b)は取り外し用モジュールを示し、(c)は編込み用モジュールを示す。
【００１７】
前記衝撃吸収構造体１０は、外部から加わる外力の衝撃を吸収して頭部を保護するものである。この衝撃吸収構造体１０は、帽子本体２への内蔵状態に応じた外径形状となっており、複数の弾性球状体１１と、これらの弾性球状体１１を平面状又は線状に集合させる軟結合構造１２と、を備えている。そして、この衝撃吸収構造体１０は、外径形状に応じて、ここでは図２(a)に示すトップ用モジュール１０Ａと、図２(b)に示す取り外し用モジュール１０Ｂと、図２(c)に示す編込み用モジュール１０Ｃと、に分類される。
【００１８】
前記トップ用モジュール１０Ａは、頂天部３の形状に合わせた外径形状を呈しており、複数の弾性球状体１１は平面状に集合されている。
【００１９】
前記取り外し用モジュール１０Ｂは、頂天部３や側面部４に設けた後述するポケット２２ａ,２４ａ,２５ａの形状に合わせた矩形状の外径形状を呈しており、複数の弾性球状体１１は平面状に集合されている。
【００２０】
前記編込み用モジュール１０Ｃは、頂天部３や側面部４の形状に拘らず、複数の弾性球状体１１が線状に集合されている。
【００２１】
ここで、前記弾性球状体１１は、外径形状がほぼ球状の中空球体状に形成され、各モジュール１０Ａ〜１０Ｃにおいて共通なものとなっている。
一方、前記軟結合構造１２は、複数の弾性球状体１１を連結し、隣接する弾性球状体１１との間に間隙を確保した状態で、外力に従って変形可能なように剛性を低く抑えた状態で集合させるものであり、トップ用モジュール１０Ａ及び取り外し用モジュール１０Ｂと、編込み用モジュール１０Ｃで異なる形態となっている。そのため、各モジュール１０Ａ〜１０Ｃは、軟結合構造１２の形態に応じて、第１衝撃吸収モジュールと、第２衝撃吸収モジュールと、に分類される。
【００２２】
[弾性球状体の構成]
図３は、弾性球状体を示す図であり、(a)は外観を示す斜視図であり、(b)は縦断面図である。
【００２３】
前記弾性球状体１１は、外部から加わる外力の大きさと方向に応じて弾性変形し、ここでは所定の温度（例えば140℃）に加熱すると溶融するポリプロピレン製の弾性素材により形成されている。また、この弾性球状体１１は、下端１１ａに弾性球状体１１の内部と外側を連通させる下側通気孔１３ａが形成され、上端１１ｂに弾性球状体１１の内部と外側を連通させる上側通気孔１３ｂが形成されている。
この下側通気孔１３ａと上側通気孔１３ｂとは互いに対向する位置に形成され、弾性球状体１１の下端１１ａと上端１１ｂとの間を貫通した貫通孔を形成している。
なお、この弾性球状体１１は、この実施例１では、外殻の肉厚が約0.3mm、直径が約11mm、通気孔１３ａ,１３ｂの開口径がそれぞれ約6mmとなっている。
【００２４】
[第１衝撃吸収モジュール]
図４は、トップ用モジュール及び取り外し用モジュールの一部を破断した斜視図である。
【００２５】
前記トップ用モジュール１０Ａ及び前記取り外し用モジュール１０Ｂは、前記第１衝撃吸収モジュールに分類される。この第１衝撃吸収モジュールでは、軟結合構造１２が、下側布部材１４と、上側布部材１５と、連結手段１６と、を備えている。
【００２６】
前記下側布部材１４は、通気性が良いポリエステル製の布素材により形成され、弾性球状体１１の下端１１ａに接触する一面に熱溶着層１４ａが設けられている。ここで「熱溶着層」とは、所定の温度（例えば140℃）に加熱することで溶融する熱可塑性樹脂層である。
そして、熱溶着層１４ａと下側通気孔１３ａの開口周縁が互いに溶解して一体化することで、下側布部材１４に対して弾性球状体１１が溶着固定される。
【００２７】
前記上側布部材１５は、通気性が良いポリエステル製の布素材により形成され、弾性球状体１１の上端１１ｂに接触する一面に熱溶着層１５ａが設けられている。ここで「熱溶着層」とは、所定の温度（例えば140℃）に加熱することで溶融する熱可塑性樹脂層である。なお、下側布部材１４と上側布部材１５は同じ素材により形成される。
そして、熱溶着層１５ａと上側通気孔１３ｂの開口周縁が互いに溶解して一体化することで、上側布部材１５に対して弾性球状体１１が溶着固定される。
【００２８】
前記連結手段１６は、下側布部材１４と上側布部材１５のそれぞれに固定された状態で集合した複数の弾性球状体１１の周囲位置において、下側布部材１４と上側布部材１５を連結するものである。ここでは、この連結手段１６は、下側布部材１４の熱溶着層１４ａと上側布部材１５の熱溶着層１５ａとが互いに溶着した溶着部１６ａと、この溶着部１６ａ上において下側布部材１４と上側布部材１５を縫い合わせる縫合部１６ｂと、を有している。
【００２９】
[第２衝撃吸収モジュール]
図５は、編込み用モジュールを示す斜視図である。
【００３０】
前記編込み用モジュール１０Ｃは、前記第２衝撃吸収モジュールに分類される。この第２衝撃吸収モジュールでは、軟結合構造１２が、第１紐状部材１７と、第２紐状部材１８と、を備えている。
【００３１】
前記第１紐状部材１７は、長さ方向に伸縮しにくいナイロン等の合成繊維から形成されている。この第１紐状部材１７は、線状に並んだ複数の弾性球状体１１の下側通気孔１３ａ及び上側通気孔１３ｂに挿通されて、弾性球状体１１を貫通すると共に、隣接する弾性球状体１１間において、各通気孔１３ａ,１３ｂへの挿通方向が逆にされる。
【００３２】
つまり、この第１紐状部材１７は、図５において最右側に位置する弾性球状体１１（図５において１１Ａ）では、上側通気孔１３ｂから下側通気孔１３ａへと挿通される。続いて隣接する弾性球状体１１（図５において１１Ｂ）では、下側通気孔１３ａから上側通気孔１３ｂへと挿通される。このように、第１紐状部材１７は、順に最右側から最左側までの各弾性球状体１１に、挿通方向を交互に変えながら挿通される。
【００３３】
前記第２紐状部材１８は、線状に並んだ複数の弾性球状体１１の下側通気孔１３ａ及び上側通気孔１３ｂに挿通されて、弾性球状体１１を貫通すると共に、このときの挿通方向が第１紐状部材１７の挿通方向と逆方向に設定される。
【００３４】
つまり、この第２紐状部材１８は、図５において最右側に位置する弾性球状体１１（図５において１１Ａ）では、下側通気孔１３ａから上側通気孔１３ｂへと挿通される。続いて隣接する弾性球状体１１（図５において１１Ｂ）では、上側通気孔１３ｂから下側通気孔１３ａへと挿通される。このように、第２紐状部材１８は、順に最右側から最左側までの各弾性球状体１１に、挿通方向を第１紐状部材１７とは逆方向にしながら挿通される。
【００３５】
そして、第１紐状部材１７と第２紐状部材１８は、各弾性球状体１１の内部において、交差する。
【００３６】
さらに、この第２紐状部材１８の両端部は、線状に並んだ複数の弾性球状体１１の両端において、第１紐状部材１７と締結される。このとき、第１,第２紐状部材１７,１８の両端部に形成された締結部１９,１９の間隔Ｌ１は、複数の弾性球状体１１を接触させた状態に並べた際の全長Ｌよりも十分に長くなっている。これにより、複数の弾性球状体１１の間隔が任意の範囲で自在に変動可能となる。
【００３７】
[頂天部の構成]
図６は、実施例１の保護帽子の頂天部を示す斜視図であり、(a)は挟み込み用頂天部を示し、(b)は取り外し用頂天部を示し、(c)は編込み用頂天部を示す。
【００３８】
前記頂天部３は、頭頂部を覆う円盤形状を呈しており、ここでは図６(a)に示す挟み込み用頂天部３Ａと、図６(b)に示す取り外し用頂天部３Ｂと、図６(c)に示す編込み用頂天部３Ｃと、を有している。さらに、各頂点部３Ａ〜３Ｃは、衝撃吸収構造体１０の内蔵形態に応じて、第１頂天部と第２頂天部とに分類される。
【００３９】
前記挟み込み用頂天部３Ａは、トップ用モジュール１０Ａを一対の布材２１ａ,２１ｂで挟み込み、外周端部の全周を縫い合わせて形成されている。このとき、布材２１ａ,２１ｂは綿や化繊、不織布等任意に選択できる。また、頭部に面する内側の布材２１ａと外側の布材２１ｂとで材質を異ならせてもよい。なお、この挟み込み用頂天部３Ａは、衝撃吸収構造体１０を一対の布材２１ａ,２１ｂの間に挟んで縫い止めた第２頂天部に分類される。
【００４０】
前記取り外し用頂天部３Ｂは、取り外し用モジュール１０Ｂを着脱可能に収納するポケット２２ａが頭部に面する内側面に設けられている。ここで、このポケット２２ａの開口部２２ｂは、ここでは前後方向に直線状に延びている。なお、この取り外し用頂天部３Ｂは、衝撃吸収構造体１０を着脱可能に収納するポケット２２ａを有する第１頂天部に分類される。
【００４１】
前記編込み用頂天部３Ｃは、複数の編込み用モジュール１０Ｃを一対の布材２３ａ,２３ｂで挟み込み、各編込み用モジュール１０Ｃの側部を縫い合わせると共に、外周端部の全周を縫い合わせて形成されている。このとき、布材２３ａ,２３ｂは綿や化繊、不織布等任意に選択できる。また、頭部に面する内側の布材２３ａと外側の布材２３ｂとで材質を異ならせてもよい。さらに、各編込み用モジュール１０Ｃは、長さ方向を揃えて配置される。なお、この編込み用頂天部３Ｃは、衝撃吸収構造体１０を一対の布材２３ａ,２３ｂの間に挟んで縫い止めた第２頂天部に分類される。
【００４２】
[側面部の構成]
図７は、実施例１の保護帽子の側面部を示す斜視図であり、(a)は前方側面部を示し、(b)は取り外し用後方側面部を示し、(c)は編込み用後方側面部を示す。
【００４３】
前記側面部４は、頭側部を覆う円筒形状を呈すると共に、前後に２分割されており、周方向に伸縮可能な縫い合わせ部４ｂにより一体化されている。この側面部４は、ここでは、図７(a)に示す前方側面部４Ａと、図７(b)に示す取り外し用後方側面部４Ｂと、図７(c)に示す編込み用後方側面部４Ｃと、を有している。さらに、各側面部４Ａ〜４Ｃは、衝撃吸収構造体１０の内蔵形態に応じて、第１側面部と第２側面部とに分類される。
【００４４】
前記前方側面部４Ａは、頭側部の前方（前側）を覆うものであり、取り外し用モジュール１０Ｂを着脱可能に収納するポケット２４ａが頭部に面する内側面に設けられている。ここで、このポケット２４ａは周方向に沿って複数設けられ、開口部２４ｂは、ここでは周方向に延びている。なお、この前方側面部４Ａは、衝撃吸収構造体１０を着脱可能に収納するポケット２４ａを有する第１側面部に分類される。
【００４５】
前記取り外し用後方側面部４Ｂは、側頭部の後方（後側）を覆うものであり、取り外し用モジュール１０Ｂを着脱可能に収納するポケット２５ａが頭部に面する内側面に設けられている。ここで、このポケット２５ａは周方向に沿って複数設けられ、開口部２５ｂは、ここでは周方向に延びている。なお、この取り外し用後方側面部４Ｂは、衝撃吸収構造体１０を着脱可能に収納するポケット２５ａを有する第１側面部に分類される。
【００４６】
前記編込み用後方側面部４Ｃは、側頭部の後方（後側）を覆うものであり、複数の編込み用モジュール１０Ｃを一対の布材２６ａ,２６ｂで挟み込み、各編込み用モジュール１０Ｃの側部を縫い合わせると共に、外周端部の全周を縫い合わせて形成されている。このとき、布材２６ａ,２６ｂは綿や化繊、不織布等任意に選択できる。また、頭部に面する内側の布材２６ａと外側の布材２６ｂとで材質を異ならせてもよい。さらに、各編込み用モジュール１０Ｃは、長さ方向を周方向に揃えて配置される。なお、この編込み用後方側面部４Ｃは、衝撃吸収構造体１０を一対の布材２６ａ,２６ｂの間に挟んで縫い止めた第２側面部に分類される。
【００４７】
[鍔部の構造]
図８は、実施例１の保護帽子の鍔部を示す斜視図であり、(a)は小キャップタイプを示し、(b)は大キャップタイプを示し、(c)は小ハットタイプを示し、(d)は大ハットタイプを示す。
【００４８】
前記鍔部５は、図示しないプラスチックの芯材を布材によって覆うことで形成されており、側面部４の周方向の沿った長さと、この側面部４からの突出長さに応じて、ここでは図８(a)に示す小キャップタイプ５Ａと、図８(b)に示す大キャップタイプ５Ｂと、図８(c)に示す小ハットタイプ５Ｃと、図８(d)に示す大ハットタイプ５Ｄに分類される。
【００４９】
前記小キャップタイプ５Ａは、側面部４の前部のみに沿って取り付けられ、突出長さが比較的短い。
【００５０】
前記大キャップタイプ５Ｂは、側面部４の前部のみに沿って取り付けられ、突出長さが比較的長い。
【００５１】
前記小ハットタイプ５Ｃは、側面部４の全周にわたって取り付けられ、突出長さが比較的短い。
【００５２】
前記大ハットタイプ５Ｄは、側面部４の全周にわたって取り付けられ、突出長さが比較的長い。
【００５３】
次に、実施例１の保護帽子におけるデザイン多様化作用を説明する。
【００５４】
[デザイン多様化作用]
図９は、実施例１の保護帽子の他のデザインを示す外観斜視図である。
【００５５】
実施例１の保護帽子１では、帽子本体２を頂天部３と側面部４と鍔部５とに分割すると共に、それぞれが予め複数のデザインパターンを有している。また、この帽子本体２に内蔵される衝撃吸収構造体１０も、予め複数のデザインパターンを有している。
【００５６】
つまり、衝撃吸収構造体１は、図２に示すように、トップ用モジュール１０Ａと、取り外し用モジュール１０Ｂと、編込み用モジュール１０Ｃとを有している。
また、頂天部３は、図６に示すように、挟み込み用頂天部３Ａと、取り外し用頂天部３Ｂと、編込み用頂天部３Ｃと、を有している。
また、側面部４は、図７に示すように、前方側面部４Ａと、取り外し用後方側面部４Ｂと、編込み用後方側面部４Ｃと、を有している。
さらに、鍔部５は、図８に示すように、小キャップタイプ５Ａと、大キャップタイプ５Ｂと、小ハットタイプ５Ｃと、大ハットタイプ５Ｄと、を有している。
【００５７】
そして、これら複数のデザインパターンを、パーツごとに任意に選択して組み合わせることで、容易に保護帽子１が形成されると共に、組み合わせ方によって異なるデザインとすることができる。
【００５８】
例えば、図１に示した保護帽子１において、頂天部３は、挟み込み用頂天部３Ａであり、このとき内蔵される衝撃吸収構造体１０はトップ用モジュール１０Ａである。また、側面部４は、前方側面部４Ａと編込み用後方側面部４Ｃである。そして、このとき前方側面部４Ａに内蔵される衝撃吸収構造体１０は取り外し用モジュール１０Ｂであり、ポケット２４ａに着脱可能に収納される。また、編込み用後方側面部４Ｃに内蔵される衝撃吸収構造体１０は、編込み用モジュール１０Ｃである。さらに、鍔部５は、大ハットタイプ５Ｄである。
【００５９】
また、図９(a)に示した保護帽子１Ａでは、頂天部３は、取り外し用頂天部３Ｂであり、このとき内蔵される衝撃吸収構造体１０は取り外し用モジュール１０Ｂであり、ポケット２２ａに着脱可能に収納される。また、側面部４は、前方側面部４Ａと取り外し用後方側面部４Ｂである。そして、このとき前方側面部４Ａ及び取り外し用後方側面部４Ｂに内蔵される衝撃吸収構造体１０は取り外し用モジュール１０Ｂであり、ポケット２４ａ及びポケット２５ａに着脱可能に収納される。さらに、鍔部５は、小ハットタイプ５Ｃである。
【００６０】
さらに、図９(b)に示した保護帽子１Ｂでは、頂天部３は、取り外し用頂天部３Ｂであり、このとき内蔵される衝撃吸収構造体１０は取り外し用モジュール１０Ｂであり、ポケット２２ａに着脱可能に収納される。また、側面部４は、前方側面部４Ａと取り外し用後方側面部４Ｂである。そして、このとき前方側面部４Ａ及び取り外し用後方側面部４Ｂに内蔵される衝撃吸収構造体１０は取り外し用モジュール１０Ｂであり、ポケット２４ａ及びポケット２５ａに着脱可能に収納される。さらに、鍔部５は、大キャップタイプ５Ｂである。
【００６１】
そして、図９(c)に示した保護帽子１Ｃでは、頂天部３は、挟み込み用頂天部３Ａであり、このとき内蔵される衝撃吸収構造体１０はトップ用モジュール１０Ａである。また、側面部４は、前方側面部４Ａと編込み用後方側面部４Ｃである。そして、このとき前方側面部４Ａに内蔵される衝撃吸収構造体１０は取り外し用モジュール１０Ｂであり、ポケット２４ａに着脱可能に収納される。また、編込み用後方側面部４Ｃに内蔵される衝撃吸収構造体１０は、編込み用モジュール１０Ｃである。さらに、鍔部５は、大キャップタイプ５Ｂである。
【００６２】
このように、頂天部３と側面部４と鍔部５をそれぞれ任意のパーツを選ぶと共に、選択したパーツに応じた衝撃緩衝構造体１０を選ぶことで、簡単に様々なデザインの保護帽子を実現することができる。
【００６３】
さらに、図１及び図９に示した各保護帽子１〜１Ｃでは、いずれも鍔部５が取り付けられているが、この鍔部５を取り付けないタイプの保護帽子であってもよい。その場合には、頂天部３及び側面部４のデザインパターンを任意に選択して組み合わせる。
【００６４】
次に、効果を説明する。
実施例１の保護帽子１にあっては、下記に列挙する効果を得ることができる。
【００６５】
(1) 頭頂部を覆う頂天部３と、前記頂天部３の周囲を取り囲んで頭側部を覆う側面部４と、に分割された帽子本体２と、前記帽子本体２に内蔵される衝撃吸収構造体１０と、を備えた保護帽子１において、
前記頂天部３は、前記衝撃吸収構造体１０の内蔵形態が異なる複数の頂天部モジュールを有し、
前記側面部４は、前記衝撃吸収構造体１０の内蔵形態が異なる複数の側面部モジュールを有し、
前記衝撃吸収構造体１０は、外形形状が球状であり、外部から加わる外力の大きさと方向に応じて弾性変形する複数の弾性球状体１１を、隣接する弾性球状体１１との間に間隙を確保した状態で、前記外力に従って変形可能なように剛性を低く抑えた軟結合構造１２を介して平面状又は線状に集合させると共に、前記軟結合構造１２の形態が異なる複数の衝撃吸収モジュールを有し、
前記頂天部モジュールと、前記側面部モジュールと、前記衝撃吸収モジュールとは、任意に選択されて組み合わせられる構成とした。
これにより、頂天部３と、側面部４と、衝撃吸収構造体１０との組み合わせに応じて異なるデザインになり、簡単に様々なデザインの保護帽子を実現することができる。
【００６６】
(２) 前記頂天部モジュールは、前記衝撃吸収構造体１０を着脱可能に収納するポケット３Ｂａを有する第１頂天部（取り外し用頂天部）３Ｂと、前記衝撃吸収構造体１０を一対の布材の間に挟んで縫い止めた第２頂天部（挟み込み用頂天部,編込み用頂天部）３Ａ,３Ｃと、を有し、
前記側面部モジュールは、前記衝撃吸収構造体１０を着脱可能に収納するポケット４Ａａ,４Ｂａを有すると共に少なくとも前記頭部の一部を覆う第１側面部（前方側面部,取り外し用後方側面部）４Ａ,４Ｂと、前記衝撃吸収構造体１０を一対の布材の間に挟んで縫い止めると共に少なくとも前記頭部の一部を覆う第２側面部（編込み用後方側面部）４Ｃと、を有し、
前記衝撃吸収モジュールは、前記弾性球状体１１の下端１１ａに、一面に設けた熱溶着層１４ａが熱溶着固定される下側布部材１４と、前記弾性球状体１１の上端１１ｂに、一面に設けた熱溶着層１５ａが熱溶着固定される上側布部材１５と、を備えた軟結合構造１２を有する第１衝撃吸収モジュール（トップ用モジュール,取り外し用モジュール）１０Ａ,１０Ｂと、
前記弾性球状体１１に中心を通って貫通する貫通孔（下側通気孔,上側通気孔）１３ａ,１３ｂを形成し、前記弾性球状体１１の前記貫通孔１３ａ,１３ｂに挿通されると共に、隣接する弾性球状体１１間において、挿通方向が逆方向にされる第１紐状部材１７と、前記弾性球状体１１の前記貫通孔１３ａ,１３ｂに挿通されると共に、挿通方向が前記第１紐状部材１７の挿通方向と逆方向に設定され、且つ、線状に並んだ複数の前記弾性球状体１１の両端部のそれぞれで前記第１紐状部材１７と結合される第２紐状部材１８と、を備えた軟結合構造１２を有する第２衝撃吸収モジュール（編込み用モジュール）１０Ｃと、
を有する構成とした。
これにより、頂天部３と、側面部４と、衝撃吸収構造体１０との組み合わせに応じて異なるデザインになり、簡単に様々なデザインの保護帽子を実現することができる。
【００６７】
(3) 前記帽子本体２は、前記側面部４の下側前部（前額部）４ａに取り付けられると共に、周方向の長さと、前記側面部４からの突出長さがそれぞれ異なる複数の鍔部５を有し、前記複数の鍔部５は、任意に選択されて前記側面部４に取り付けられる構成とした。
【００６８】
このため、保護帽子１のデザインバリエーションを簡単に増加することができる。
【００６９】
以上、本発明の保護帽子１を実施例１に基づき説明してきたが、具体的な構成については、この実施例に限られるものではなく、特許請求の範囲の各請求項に係る発明の要旨を逸脱しない限り、設計の変更や追加等は許容される。
【００７０】
実施例１の側面部４では、前後に２分割され、前方側面部４Ａと取り外し用後方側面部４Ｂとの組み合わせ、又は、前方側面部４Ａと編込み用後方側面部４Ｃとの組み合わせのいずれかにより形成されている。しかしながら、側面部４はこれに限らない。例えば、図１０(a)に示す側面部４Ｄのように、複数の編込み用モジュール１０Ｃを一対の布材２７ａ,２７ｂで挟み込み、各編込み用モジュール１０Ｃの側部を縫い合わせると共に、外周端部の全周を縫い合わせて形成されると共に、各編込み用モジュール１０Ｃの長さ方向を周方向に対して傾斜させた状態で揃えて配置したものであってもよい。そして、このような側面部４Ｄを複数連結して円筒形状にする。
これにより、図１０(b)に示すように、編込み用モジュール１０Ｃの形状を生かしたデザインの保護帽子１Ｄとすることができる。さらに、複数の側面部４Ｄの連結部分を当て布２８により覆うことで、さらにデザイン性を高めることができる。
【００７１】
さらに、実施例１の前方側面部４Ａに加え、図１１(a)に示すように、衝撃吸収構造体１０の編込み用モジュール１０Ｃを一対の布材２９ａ,２９ｂの間に挟んで縫い止めると共に少なくとも頭部の一部を覆う第２側面部に分類される編込み用側面部４Ｅを用いてもよい。
そして、複数の編込み用側面部４Ｅと編込み用後方側面部４Ｃとを組み合わせれば、図１１(b)に示すように、頭側部の全周を編込み用モジュール１０Ｃによって取り囲むデザインの保護帽子１Ｅとすることができる。
【００７２】
そして、実施例１の頂天部３は円盤形状を呈しているが、これに限らない。例えば、図１２(a)に示すように、側面部４の一部と一体的に連続していてもよい。この図１２(a)に示す頂天部３Ｄでは、衝撃吸収構造体１０の編込み用モジュール１０Ｃを一対の布材３０ａ,３０ｂの間に挟んで縫い止める第２頂天部に分類されると共に、後頭部を覆う側面部４と一部が一体となって側面部４の下端部まで連続している。ここで、後頭部を覆う部分では、頭部の形状に合わせて湾曲する。
これにより、図１２(b)に示すように、編込み用モジュール１０Ｃの形状を生かしたデザインとすると共に、頂天部３と側面部４の一部が連続しているため、各パーツの組立も容易に行うことができる保護帽子１Ｆとすることができる。
【００７３】
さらに、頂天部３及び側面部４は、それぞれの外径形状は上述のものに限らない。第１衝撃吸収モジュール又は第２衝撃吸収モジュールのいずれかを、ポケットに着脱可能に収納することで内蔵するか、一対の布材の間に挟んで縫い止めることで内蔵することができればよい。
【００７４】
また、衝撃吸収構造体１０の内蔵形態についても、上記のものに限らない。例えば面ファスナーやスナップ等を用いて頂天部３や側面部４の内側に衝撃吸収構造体１０一体固定する場合であっても、帽子本体２に衝撃吸収構造体１０を内蔵することとする。
【符号の説明】
【００７５】
１  保護帽子
２  帽子本体
３  頂天部
３Ａ  挟み込み用頂天部（第２頂天部）
３Ｂ  取り外し用頂天部（第１頂天部）
３Ｃ  編込み用頂天部（第２頂天部）
４  側面部
４Ａ  前方側面部（第１側面部）
４Ｂ  取り外し用後方側面部（第１側面部）
４Ｃ  編込み用後方側面部（第２側面部）
５  鍔部
５Ａ  小キャップタイプ
５Ｂ  大キャップタイプ
５Ｃ  小ハットタイプ
５Ｄ  大ハットタイプ
１０  衝撃吸収構造体
１０Ａ  トップ用モジュール（第１衝撃モジュール）
１０Ｂ  取り外し用モジュール（第１衝撃モジュール）
１０Ｃ  編込み用モジュール（第２衝撃モジュール）
１１  弾性球状体
１２  軟結合構造
１３ａ  下側通気孔（貫通孔）
１３ｂ  上側通気孔（貫通孔）
１４  下側布部材
１４ａ  熱溶着層
１５  上側布部材
１５ａ  熱溶着層
１６  連結手段
１７  第１紐部材
１８  第２紐部材
１９  締結部
【図１】
2013057138.tif 000003
【図２】
2013057138.tif 000004
【図３】
2013057138.tif 000005
【図４】
2013057138.tif 000006
【図５】
2013057138.tif 000007
【図６】
2013057138.tif 000008
【図７】
2013057138.tif 000009
【図８】
2013057138.tif 000010
【図９】
2013057138.tif 000011
【図１０】
2013057138.tif 000012
【図１１】
2013057138.tif 000013
【図１２】
2013057138.tif 000014